(57)【特許請求の範囲】
【請求項１】
土圧を支持する垂直部と、この垂直部の下方で地盤に埋設される水平部とを有するコンクリート製の擁壁であって、上記水平部は、地盤上にコンクリートを上下幅より前後幅が大きくなるように打設して凝固させることにより形成され、上記垂直部は、コンクリートにより形成された複数の分割体を上記水平部上にその長手方向に沿って並設することにより構成され、上記水平部の上面近傍には前記各分割体に対応した複数の幅止め部材が前後方向に沿って埋め込まれるとともに、各幅止め部材の前端部近傍に水平部から上方へ突出する突起が、各幅止め部材の後端部近傍に水平部の上面側に露出する下方締結具が、各幅止め部材の後端には下向きに折れ曲がる折曲部が各々設けられ、上記各分割体には後面側に露出するように上方締結具が埋め込まれ、上記分割体の前面側が上記突起に当接されるとともに、上記下方締結具が連結板の一端に、上記上方締結具が上記連結板の他端に各々接続されていることを特徴とする擁壁。
【請求項２】
隣接する分割体同士を連結する通り用連結部材が設けられていることを特徴とする請求項１記載の擁壁。
【発明の詳細な説明】
【０００１】
【発明の属する技術分野】
本発明は、高低差を有する宅地や道路脇等に土圧を支持するために設けられる擁壁に関するものである。
【０００２】
【従来の技術】
従来、高低差を有する宅地や道路脇等に土止め用の擁壁を施工する場合、図１１に示すようなコンクリート製のＬ型パネル１を横に並べて配置したり、型枠を用いて現場でコンクリートをＬ型に打設したり、或いは、図１２のように、地盤上にコンクリート製の土台２を打設した後、土台２から上方へ突設した鉄筋３にコンクリート製のブロック４を挿通させながら積み上げてゆく方法が知られている。
【０００３】
【発明が解決しようとする課題】
ところが、図１１の方法では、Ｌ型パネル１を施工現場まで運搬するのに手間が掛かるとともに、Ｌ型パネル１の製造コストが高く付く問題を有していた。また、図１２の方法では、多数のブロック４を積み上げる作業が面倒な問題があった。一方で、住宅の建築現場等で、生コンクリートの余剰が生じた場合、これを有効利用することは困難なものであった。
【０００４】
【課題を解決するための手段】
本発明は前記の課題を解決するため、建築現場等で生じた余剰の生コンクリートを有効利用しながら容易に施工できる擁壁を提供することを目的とする。そのため、本発明の請求項１の擁壁は、土圧を支持する垂直部と、この垂直部の下方で地盤に埋設される水平部とを有するコンクリート製の擁壁であって、上記水平部は地盤上にコンクリートを上下幅より前後幅が大きくなるように打設して凝固させることにより形成され、上記垂直部はコンクリートにより形成された複数の分割体を上記水平部上にその長手方向に沿って並設することにより構成され、上記水平部の上面近傍には前記各分割体に対応した複数の幅止め部材が前後方向に沿って埋め込まれるとともに、各幅止め部材の前端部近傍に水平部から上方へ突出する突起が、各幅止め部材の後端部近傍に水平部の上面側に露出する下方締結具が、各幅止め部材の後端には下向きに折れ曲がる折曲部が各々設けられ、上記各分割体には後面側に露出するように上方締結具が埋め込まれ、上記分割体の前面側が上記突起に当接されるとともに、上記下方締結具が連結板の一端に、上記上方締結具が上記連結板の他端に各々接続されていることを特徴とするものである。
【０００５】
上記擁壁の施工に際しては、地盤上に上記のようにコンクリートを打設して水平部を形成し、続いて、この水平部上にコンクリートパネルからなる複数の分割体を並設して、上記連結板により各分割体と水平部とを連結すればよい。その場合、上記突起と下方締結具とは同一の幅止め部材上に設けられているので、突起と下方締結具間の間隔は略一定に保持され、その結果、分割体の前面側を上記突起に当接させた状態では、上方締結具と下方締結具間の間隔も略一定となり、上記連結板により、分割体を適正な姿勢で支持した状態で分割体と水平部とを連結できるようになる。
【０００６】
請求項２の擁壁は、請求項１の擁壁において、隣接する分割体同士を連結する通り用連結部材が設けられていることを特徴とするものである。
【０００７】
【発明の実施の形態】
以下、本発明の第１の実施の形態を図面に基づいて説明する。図１に示すように、宅地又は道路脇等に高低差がある場合、段差部分に本実施の形態のコンクリート製の擁壁１０が設けられている。すなわち、擁壁１０の後方側（図の右側）の地面Ｌ１（２点鎖線参照）は擁壁１０の前方側（図の左側）の地面Ｌ２より高くなっており、上段側又は下段側の少なくとも一方が宅地となっていたり、上段側又は下段側の一方が道路を構成している場合等に、段差部分の土砂の崩落を防止するために上記擁壁１０を用いることができる。
【０００８】
上記擁壁１０は、土中に埋設された水平部１１と、段差部分の土圧を支持する垂直部１２とからなり、水平部１１と、垂直部１２を構成する複数の分割体１６（コンクリートパネル）とが連結板１３により連結されている。
【０００９】
以下、詳細に説明すると、図２及び図３にも示すように、水平部１１は地盤１４上に砕石１５を介してコンクリートを前後幅が上下幅より大きくなるように打設することにより、擁壁１０の長手方向へ連続的に設けられている。
【００１０】
一方、垂直部１２は複数の大略直方体状の分割体１６が水平部１１上に並設されている。図１において、水平部１１及び垂直部１２の各分割体１６には各々鉄筋１７、１８が埋め込まれている。また、水平部１１の上面近傍には、その前後方向に沿って延びる幅止め金具２０（幅止め部材）が各分割体１６に対応させて複数埋め込まれている。
【００１１】
図４及び図５にも示すように、幅止め金具２０は、長尺の金具本体２１と、この金具本体２１の長手方向中間部付近の下面側に溶接により取り付けられたＬ型の引抜防止鉄筋２２と、金具本体２１の後端部付近に設けた孔２１ａに下方から挿通されかつこの金具本体２１に溶接等で固定された埋込ボルト２３（下方締結具）からなる。
【００１２】
金具本体２１の前端には上向きに折れ曲がる折曲部２１ｂ（突起）が、後端には下向きに折れ曲がる折曲部２１ｃが各々設けられている。なお、幅止め金具２０を水平部１１の上面近傍に埋め込んだ状態で、上記折曲部２１ｂ及び埋込ボルト２３は水平部１１の上面から上方へ突出している。そして、各分割体１６は、その前面が上記折曲部２１ｂに当接させられることにより、分割体１６の前後方向位置が規制されるとともに、土圧の掛かった状態での分割体１６の前倒れが防止されている。
【００１３】
各分割体１６の上部には、埋込ナット２４（上方締結具）が後面側に露出するように埋め込まれている。そして、隣接する複数の分割体１６間に断面Ｌ型の通り用アングル２５（通り用連結部材）が架け渡され、この通り用アングル２５の垂直部２５ａに設けた横方向の長孔２５ｂを介してボルト２６を各分割体１６の埋込ナット２４に螺合することにより、隣接する分割体１６同士が水抜き用の僅かな隙間Ｇを隔てて連結されている。
【００１４】
図６及び図７にも示すように、上記連結板１３は、下端部及び上端部に各々水平方向への折曲部１３ａ、１３ｂを備えている。そして、上記埋込ボルト２３は折曲部１３ａの孔１３ｃに挿通されてナット２７が螺合されることにより折曲部１３ａに固定されるとともに、折曲部１３ｂの孔１３ｄは通り用アングル２５の水平部２５ｃの孔２５ｄにボルト２８及びナット２９で接続されている。
【００１５】
上記構成では、各分割体１６の下端部前面が幅止め金具２０の金具本体２１における折曲部２１ｂに当接しているので、分割体１６の後方から土圧が作用しても分割体１６の前倒れへ生じない。また、上記折曲部２１ｂと埋込ボルト２３が同一の金具本体２１上に設けられており、かつ分割体１６の前面が折曲部２１ｂの当接されているため、埋込ボルト２３と埋込ナット２４間の間隔は各分割体１６で略一定となり、埋込ボルト２３と通り用アングル２５とを、特に位置の微調整等を必要とすることなく連結板１３によって良好に連結できる。さらに、連結板１３は、金属等により安価に製造できるとともに、埋戻し状態では左右両側から土圧が作用するので、連結板１３の変形等も生じにくい。
【００１６】
また、幅止め金具２０は水平部１１の略前後方向全域に渡って埋め込まれるとともに引抜防止鉄筋２２で水平部１１との付着力が増強されているので、この幅止め金具２０と連結板１３の併用によって分割体１６を安定的に支持することができる。
【００１７】
次に、上記擁壁１０の施工手順を説明する。図８に示すように、まず、擁壁１０を施工する周辺の地盤１４を図１に示す施工完了後における下段側の地面Ｌ２より若干低くなる程度まで掘削し、前記砕石１４を敷設した後、側部のみを型枠３１で仕切った状態でコンクリートを上下幅より前後幅が大きくなるように打設して凝固させた後、型枠３１を取り外すことにより、水平部１１を形成する。この際、水平部１１内に前記鉄筋１７及び幅止め金具２０を埋め込んでおく。
【００１８】
一方、垂直部１２を構成する複数の分割体１６は、水平部１１の施工前、施工後又は水平部１１の施工と並行して現場で作成する。すなわち、図９に示すような、例えば、仕切り板３３の両側で同時に２個の分割体１６の作成が可能な型枠３２に、ナット２２を支持金具３４を介して装着するとともに、図９には示さない前記鉄筋１８を型枠３２内に組み込んでコンクリートを流し込み、凝固後に型枠３２を取り外すことにより、図１０に示すような分割体１６を多数作成する。
【００１９】
なお、図１０等に示す分割体１６は表面模様を有していないが、所望により、型枠３２の内表面に凹凸模様を付しておけば、分割体１６は表面に所望の模様を付与することができる。１６ａは、支持金具３４により形成された凹部である。
【００２０】
上記分割体１６は、例えば、高低差を有する宅地に住宅を建築するような場合、当該住宅の基礎等を施工した後に生コンクリートが余った場合は、この余剰の生コンクリートを流用し、必要により、新規のコンクリート材料を追加しながら作成することができる。これにより、保存の困難な生コンクリートを無駄なく使用できる。
【００２１】
なお、残存する生コンクリート量との関係で分割体１６を当該現場の擁壁１０の施工に必要な数量以上に作成した場合でも、生コンクリートと異なり、余剰の分割体１６を所定期間保管しておいて、必要により他の施工現場で使用することができる。
【００２２】
上記水平部１１の施工と複数の分割体１６の作成が終了した後、水平部１１上に所定個数の分割体１６を上記水抜き用の隙間Ｇを隔てて順次載置して、各分割体１６の下端部前面を上記折曲部２１ｂに当接させる。その後、図２及び図３に示したように、隣接する分割体１６同士を通り用アングル２５で連結するとともに、この通り用アングル２５と水平部１１から突出した前記埋込ボルト２３とを前記連結板１３を用いて連結する。上記擁壁１０の施工が完了した後、図１に２点鎖線のハッチングで示したように、擁壁１０の後方側（上段側）では高さＬ１まで、前方側（下段側）では高さＬ２まで土砂３６を埋め戻せばよい。
【００２３】
上記のように、水平部１１を現場でコンクリートを打設して施工するようにしたので、例えば、従来のようにコンクリート製のＬ型パネル等を製造する施設を設けたり、製造したＬ型パネルを現場まで運搬する必要もなくなる。
【００２４】
なお、上記本実施の形態では、垂直部１２を構成する分割体１６を現場で作成するようにしたが、分割体１６は、予め工場等で作成しておいて現場へ搬送するようにしてもよい。また、擁壁１０の高さを増す目的等で垂直部１２上にブロック等を積層する場合、例えば、各分割体１６の上面に露出するように不図示のナットを埋め込んでおいて、このナットを利用してブロック等を積層すればよい。
【００２５】
【発明の効果】
以上説明したように、本発明の請求項１の擁壁は、土圧を支持する垂直部と、この垂直部の下方で地盤に埋設される水平部とを有するコンクリート製の擁壁であって、上記水平部は、地盤上にコンクリートを上下幅より前後幅が大きくなるように打設して凝固させることにより形成され、上記垂直部は、コンクリートにより形成された複数の分割体を上記水平部上にその長手方向に沿って並設することにより構成され、上記水平部の上面近傍には前記各分割体に対応した複数の幅止め部材が前後方向に沿って埋め込まれるとともに、各幅止め部材の前端部近傍に水平部から上方へ突出する突起が、各幅止め部材の後端部近傍に水平部の上面側に露出する下方締結具が、各幅止め部材の後端には下向きに折れ曲がる折曲部が各々設けられ、上記各分割体には後面側に露出するように上方締結具が埋め込まれ、上記分割体の前面側が上記突起に当接されるとともに、上記下方締結具が連結板の一端に、上記上方締結具が上記連結板の他端に各々接続されたものであり、擁壁の水平部については現場で施工できるので垂直部を構成する分割体のみを、必要により、工場等から現場に運搬すればよく、運搬の手間が省ける利点がある。
【００２６】
また、上記突起と下方締結具とは同一の幅止め部材上に設けられているので、突起と下方締結具間の間隔は略一定に保持され、その結果、分割体の前面側を上記突起に当接させた状態では、上方締結具と下方締結具間の間隔も略一定となるので、上記連結板により、分割体を適正な姿勢で支持した状態で分割体と水平部とを連結できる利点がある。
【００２７】
請求項２の擁壁は、請求項１の擁壁において、隣接する分割体同士を連結する通り用連結部材が設けられているので、分割体同士の結合強度を高めて、土圧に対する擁壁の保持力を向上させることができる。
【図面の簡単な説明】
【図１】本発明の第１の実施の形態に係る擁壁を示す概略断面図。
【図２】上記擁壁を示す概略背面図。
【図３】上記擁壁を示す概略平面図。
【図４】上記擁壁で用いられる幅止め金具を示す概側平面図。
【図５】上記幅止め金具を示す概略平面図。
【図６】上記擁壁で用いられる連結板を示す概側側面図。
【図７】上記連結板を示す概側背面図。
【図８】上記擁壁の施工手順を示す概略断面図。
【図９】上記擁壁の垂直部を構成する分割体を製造するための型枠を上方から見た状態示す概略斜視図。
【図１０】上記型枠を用いて作成した分割体を示す概略斜視図。
【図１１】Ｌ型パネルを用いた従来の擁壁を示す概略斜視図。
【図１２】ブロックを積み上げた従来の擁壁を示す概略斜視図。
【符号の説明】
１０  擁壁
１１  水平部
１２  垂直部
１３  連結板
１６  分割体
２０  幅止め金具（幅止め部材）
２３  埋込ボルト（下方締結具）
２４  埋込ナット（上方締結具）
２５  通り用アングル（通り用連結部材）
【図１】
0003800582.tif 000002
【図２】
0003800582.tif 000003
【図３】
0003800582.tif 000004
【図４】
0003800582.tif 000005
【図５】
0003800582.tif 000006
【図６】
0003800582.tif 000007
【図７】
0003800582.tif 000008
【図８】
0003800582.tif 000009
【図９】
0003800582.tif 000010
【図１０】
0003800582.tif 000011
【図１１】
0003800582.tif 000012
【図１２】
0003800582.tif 000013